(57)【要約】    【課題】      被写体の外観を損なうことなく、かつ所定の被写体に対する撮影のみ制限が可能となるようにすること。    【解決手段】  盗撮行為や迷惑行為を防止したい被写体１０１に人間には殆ど視認できない不可視コード１０２を付加しておき、被写体１０１を撮影する行為が行われ、被写体１０１の映像信号から不可視コードに記された撮影制限情報が不可視コード読み取り部１１１にて読み取れるとき、読み取った撮影制限情報の内容を示す撮影制御信号が撮影制御信号生成部１１２にて生成される。撮影制御部１１３は、撮影制御信号に基づき撮像部１０６、カメラ信号処理部１０７、記録部１０８を制御して撮影動作を禁止させる。また撮影画質制御部１１４は、撮影制御信号に基づきカメラ信号処理部１０７に撮影画質を劣化させる制御を行う。  【選択図】      図１
2005328471.tif 000002
【特許請求の範囲】
【請求項１】
被写体の画像を取得する撮像素子を有する撮影手段と、撮影手段が取得した画像に信号処理を施す信号処理手段と、信号処理した画像データを記憶する記憶手段とを備える撮像装置において、被写体の映像信号から不可視コードが検出できるときその不可視コードの読み取りを行う不可視コード読み取り手段と、読み取った不可視コードに記された撮影制限情報が示す撮影制限処理の内容に応じた撮影制限信号を出力する撮影制限信号生成手段と、を具備することを特徴とする撮像装置。
【請求項２】
被写体の画像を取得する撮像素子を有する撮影手段と、撮影手段が取得した画像に信号処理を施す信号処理手段と、信号処理した画像データを記憶する記憶手段とを備える撮像装置において、被写体の映像信号から不可視コードが検出できるときその不可視コードの読み取りを行う不可視コード読み取り手段と、読み取った不可視コードに記された被写体ＩＤに対応した撮影制限情報を外部から取得する撮影制限情報取得手段と、取得された撮影制限情報が示す撮影制限処理の内容に応じた撮影制限信号を出力する撮影制限信号生成手段と、を具備することを特徴とする撮像装置。
【請求項３】
前記撮影制限信号に基づいて撮影動作を禁止する制御を行う撮影制御手段、を具備することを特徴とする請求項１又は請求項２記載の撮像装置。
【請求項４】
前記撮影制御手段は、前記撮影制限信号に基づいて前記撮影手段を動作不能に制御する構成、を具備することを特徴とする請求項３記載の撮像装置。
【請求項５】
前記撮影制御手段は、前記撮影制限信号に基づいて前記信号処理手段に全て一色の塗りつぶし画像処理を行わせる構成、を具備することを特徴とする請求項３記載の撮像装置。
【請求項６】
前記撮影制御手段は、前記撮影制限信号に基づいて前記記憶手段への書き込みを禁止する構成、を具備することを特徴とする請求項３記載の撮像装置。
【請求項７】
前記撮影制限信号に基づいて前記信号処理手段に撮影画質を劣化させる処理を行わせる撮影画質制御手段、を具備することを特徴とする請求項１又は請求項２記載の撮像装置。
【請求項８】
前記撮像装置は、ネットワークと通信する通信手段を具備し、前記撮影制限情報取得手段は、前記通信手段を用いて前記ネットワーク上に配置されるサーバーから被写体ＩＤに対応した撮影制限情報を取得する構成、を具備することを特徴とする請求項２記載の撮像装置。
【請求項９】
盗撮行為や迷惑行為を防止したい対象物に予め決められた撮影制限情報が記された不可視コードを付加する工程と、被写体の画像を取得する撮像素子を有する撮影装置において、前記対象物を撮影する行為が行われるとき、前記対象物の映像信号に含まれる不可視コードに記された撮影制限情報を読み取る工程と、前記撮影制限情報の読み取りができるときその読み取った撮影制限情報の内容に応じた撮影制限を行う工程と、を具備することを特徴とする盗撮防止方法。
【請求項１０】
盗撮行為や迷惑行為を防止したい対象物に予め決められた対象物ＩＤが記された不可視コードを付加する工程と、被写体の画像を取得する撮像素子を有する撮影装置において、前記対象物を撮影する行為が行われるとき、前記対象物の映像信号に含まれる不可視コードに記された対象物ＩＤを読み取る工程と、前記対象物ＩＤの読み取りができるときその読み取った対象物ＩＤに対応する撮影制限情報を外部から取得する工程と、取得した撮影制限情報の内容に応じた撮影制限を行う工程と、を具備することを特徴とする盗撮防止方法。
【発明の詳細な説明】
【技術分野】
【０００１】
本発明は、カメラ付き携帯電話機を含めたＣＣＤ等の撮像素子を有する撮像装置及び盗撮防止方法に関する。
【背景技術】
【０００２】
カメラ装置の小型化によりカメラ機能付き携帯電話機が登場し、著しい速度で普及を遂げている。身近で手軽な機器にカメラ機能が付いたことにより、盗撮行為あるいはそれに類した迷惑撮影行為が大きな問題となってきている。
【０００３】
例えば、電車の中や階段、更衣室等で携帯電話を操作(メール等)しているように見せかけてスカートの中や着替えシーンを撮影するような盗撮行為、レースクィーンやイベントコンパニオンあるいは水着姿の女性に対して無断で胸元や股間を拡大撮影し、さらにその画像データをインターネットに流すような迷惑行為、書店の店頭で書籍・雑誌から欲しい情報を撮影し持ち帰るいわゆるディジタル万引き行為、美術館や博物館のような撮影を禁じられた場所での無断撮影などが挙げられる。これらは、いずれも身近で手軽な機器に高性能なカメラが付いたことにより助長されている面がある。
【０００４】
これら盗撮行為やそれに類する迷惑撮影を防ぐ方法として、各種の提案がなされている（例えば、特許文献１〜３）。即ち、例えば、特許文献１では、盗撮の対象となる被写体に盗撮防止情報発生装置を装着し、撮影した画像からその盗撮防止情報発生装置が発する盗撮防止情報が検出されると撮影機能を停止する技術が開示されている。なお、盗撮防止情報は、盗撮防止情報発生装置の形状や光の点滅信号であり、画像処理によって検出されるものである。
【特許文献１】特開２００１−１６９１７５号公報
【特許文献２】特開２０００−１５２２１７号公報
【特許文献３】特開２００２−２９０８１８号公報
【発明の開示】
【発明が解決しようとする課題】
【０００５】
しかしながら、特許文献１に記載の技術では、被写体に盗撮防止情報発生装置を装着しなければならず、特にレースクィーンやイベントコンパニオンにおいては衣装のデザインを損なうという問題がある。また、盗撮防止情報発生装置の近傍では本来禁止する必要の無い映像、たとえばイベント会場でのコンパニオンを含む会場風景なども撮影できなくなるという問題もある。さらに、書店におけるディジタル万引きに対しては、書籍の各頁に盗撮防止情報発生装置を装着することは不可能なため対応できない。
【０００６】
本発明は、かかる点に鑑みてなされたものであり、被写体の外観を損なうことなく、かつ所定の被写体に対する撮影のみ制限が可能な盗撮防止機能を有した撮像装置及び盗撮防止方法を提供することを目的とする。
【課題を解決するための手段】
【０００７】
かかる課題を解決するため、本発明に係る撮像装置は、被写体の画像を取得する撮像素子を有する撮影手段と、撮影手段が取得した画像に信号処理を施す信号処理手段と、信号処理した画像データを記憶する記憶手段とを備える撮像装置において、被写体の映像信号から不可視コードが検出できるときその不可視コードの読み取りを行う不可視コード読み取り手段と、読み取った不可視コードに記された撮影制限情報が示す撮影制限処理の内容に応じた撮影制限信号を出力する撮影制限信号生成手段とを具備する構成を採る。
【０００８】
この構成によれば、被写体を撮影するとき、不可視コードの読み取りが行えると、撮影が制限された被写体であることが検出されるので、不可視コードに記された撮影制限情報が示す撮影制限処理の内容に応じた撮影機能制限が可能になる。被写体には人間が殆ど視認できない不可視コードを付加するので、被写体の外観を損なうことはない。
【０００９】
本発明に係る撮像装置は、被写体の画像を取得する撮像素子を有する撮影手段と、撮影手段が取得した画像に信号処理を施す信号処理手段と、信号処理した画像データを記憶する記憶手段とを備える撮像装置において、被写体の映像信号から不可視コードが検出できるときその不可視コードの読み取りを行う不可視コード読み取り手段と、読み取った不可視コードに記された被写体ＩＤに対応した撮影制限情報を外部から取得する撮影制限情報取得手段と、取得された撮影制限情報が示す撮影制限処理の内容に応じた撮影制限信号を出力する撮影制限信号生成手段とを具備する構成を採る。
【００１０】
この構成によれば、被写体を撮影するとき、不可視コードの読み取りが行えると、外部からその不可視コードに記された被写体ＩＤに対応した撮影制限情報を取得するので、撮影が制限された被写体であることが検出され、撮影制限情報が示す撮影制限処理の内容に応じた撮影機能制限が可能になる。被写体には人間が殆ど視認できない不可視コードを付加するので、被写体の外観を損なうことはない。
【００１１】
本発明に係る撮像装置は、上記の発明において、前記撮影制限信号に基づいて撮影動作を禁止する制御を行う撮影制御手段を具備する構成を採る。
【００１２】
この構成によれば、被写体の不可視コードが付加された部位を撮影しようとすると、撮影動作を禁止にすることが可能になる。
【００１３】
本発明に係る撮像装置は、上記の発明において、前記撮影制御手段は、前記撮影制限信号に基づいて前記撮影手段を動作不能に制御する構成を具備するようにした。
【００１４】
この構成によれば、被写体の不可視コードが付加された部位を撮影しようとすると、撮影手段を電源オフにするなどによって動作不能に制御することで撮影動作を禁止にすることが可能になる。
【００１５】
本発明に係る撮像装置は、上記の発明において、前記撮影制御手段は、前記撮影制限信号に基づいて前記信号処理手段に全て一色の塗りつぶし画像処理を行わせる構成を具備するようにした。
【００１６】
この構成によれば、被写体の不可視コードが付加された部位を撮影しようとすると、例えば黒一色など全て一色に塗りつぶした画像が得られるように制御することで撮影動作を禁止にすることが可能になる。
【００１７】
本発明に係る撮像装置は、上記の発明において、前記撮影制御手段は、前記撮影制限信号に基づいて前記記憶手段への書き込みを禁止する構成を具備するようにした。
【００１８】
この構成によれば、被写体の不可視コードが付加された部位を撮影しようとすると、画像データの蓄積を禁止してプリントアウトなどができないように制御することで撮影動作を禁止にすることが可能になる。
【００１９】
本発明に係る撮像装置は、上記の発明において前記撮影制限信号に基づいて前記信号処理手段に撮影画質を劣化させる処理を行わせる撮影画質制御手段を具備する構成を採る。
【００２０】
この構成によれば、被写体の不可視コードが付加された部位を撮影しようとすると、撮影制限情報の内容に応じて自動的にモザイクやぼかし等の撮影画質低下処理を加えることが可能になる。
【００２１】
本発明に係る撮像装置は、上記の発明において、前記撮像装置は、ネットワークと通信する通信手段を具備し、前記撮影制限情報取得手段は、前記通信手段を用いて前記ネットワーク上に配置されるサーバーから被写体ＩＤに対応した撮影制限情報を取得する構成を具備するようにした。
【００２２】
この構成によれば、被写体の不可視コードが付加された部位を撮影しようとすると、サーバー上の登録された撮影制限情報の内容に応じて、撮影の禁止や画質の低下処理などの撮影制限が可能になる。また、サーバー上の登録情報を変更するだけで随時撮影制限内容が変更できるという利点を併せ持つ。
【００２３】
本発明に係る盗撮防止方法は、盗撮行為や迷惑行為を防止したい対象物に予め決められた撮影制限情報が記された不可視コードを付加する工程と、被写体の画像を取得する撮像素子を有する撮影装置において、前記対象物を撮影する行為が行われるとき、前記対象物の映像信号に含まれる不可視コードに記された撮影制限情報を読み取る工程と、前記撮影制限情報の読み取りができるときその読み取った撮影制限情報の内容に応じた撮影制限を行う工程とを具備する構成を採る。
【００２４】
この方法によれば、盗撮行為や迷惑行為を防止したい対象物に予め決められた撮影制限情報が記された不可視コードを付加しておけば、対象物を撮影する行為が行われると、撮像装置では、対象物の映像信号から不可視コードに記された撮影制限情報が読み取れるとき、読み取った撮影制限情報の内容に応じた撮影制限を行うので、不可視コードが付加された対象物に対しての撮影に制限を加えることが可能となる。
【００２５】
本発明に係る盗撮防止方法は、盗撮行為や迷惑行為を防止したい対象物に予め決められた対象物ＩＤが記された不可視コードを付加する工程と、被写体の画像を取得する撮像素子を有する撮影装置において、前記対象物を撮影する行為が行われるとき、前記対象物の映像信号に含まれる不可視コードに記された対象物ＩＤを読み取る工程と、前記対象物ＩＤの読み取りができるときその読み取った対象物ＩＤに対応する撮影制限情報を外部から取得する工程と、取得した撮影制限情報の内容に応じた撮影制限を行う工程とを具備する構成を採る。
【００２６】
この方法によれば、盗撮行為や迷惑行為を防止したい対象物に予め決められた対象物ＩＤが記された不可視コードを付加しておけば、対象物を撮影する行為が行われると、撮像装置では、対象物の映像信号から不可視コードに記された対象物ＩＤが読み取れるとき、読み取った対象物ＩＤに対応する撮影制限情報をネットワーク上のサーバーなどの外部から取得し、取得した撮影制限情報の内容に応じた撮影制限を行うので、不可視コードが付加された対象物に対しての撮影に制限を加えることが可能となる。
【発明の効果】
【００２７】
本発明によれば、被写体の外観を損なうことなく、かつ所定の被写体に対する撮影のみ制限が可能な盗撮防止機能を有した撮像装置及び盗撮防止方法を提供することができる。
【発明を実施するための最良の形態】
【００２８】
本発明の骨子は、盗撮行為や迷惑行為を防止したい対象物に人間には殆ど視認できない不可視コードを付加しておき、対象物を撮影する行為が行われ、対象物の映像信号から不可視コードに記された撮影制限情報が読み取れるとき、読み取った撮影制限情報の内容に応じた撮影制限を行うことである。
【００２９】
また、本発明の骨子は、盗撮行為や迷惑行為を防止したい対象物に人間には殆ど視認できない不可視コードを付加しておき、対象物を撮影する行為が行われ、対象物の映像信号から不可視コードに記された不可視コードに記された対象物ＩＤが読み取れるとき、読み取った対象物ＩＤに対応する撮影制限情報をネットワーク上のサーバーなどの外部から取得し、取得した撮影制限情報の内容に応じた撮影制限を行うことである。
【００３０】
以下、本発明の実施の形態について図面を参照して詳細に説明する。
【００３１】
（実施の形態１）
図１は本発明の実施の形態１に係る撮像装置の構成を示すブロック図である。図１において、撮像装置１００が対象とする被写体１０１は、例えば、イベントコンパニオンである。イベントコンパニオンの着衣（レオタードや水着）には、撮影制限情報を記した不可視コード１０２が印刷されている。
【００３２】
ここで、不可視コード１０２とは、不可視インクで記されたバーコードや２次元コードあるいは前もって決められたシンボルである。不可視インクには、例えば、日立マクセル社製のステルスインクなどがある。これは人間には殆ど見えないが、赤外領域で光学的に読み取りが可能である。不可視コード１０２には、例えば、撮影禁止や、撮影画像をモザイク処理する、あるいはぼかし処理する等の撮影制限処理を指定する撮影制限情報が記される。また、不可視であるため衣装のデザインを損なうことがない。
【００３３】
撮像装置１００は、基本的には、被写体１０１に焦点を合わせる光学系１０４と、光学系１０４の光出力から可視光以外を除去する可視光フィルタ１０５と、可視光フィルタ１０５から出力される可視映像をＣＣＤ等の撮像素子によって撮像し撮像した映像をディジタル信号にて出力する撮像部１０６と、撮像部１０６が出力するディジタル信号を信号処理するカメラ信号処理部１０７と、カメラ信号処理部１０７によって処理された画像データを蓄積する記録部１０８とを備える可搬型の撮像装置である。
【００３４】
実施の形態１では、上記の基本構成に加えて盗撮防止機構として、光学系１０４の光出力から赤外光を抽出する赤外光フィルタ１０９と、赤外光フィルタ１０９から出力される不可視映像をＣＣＤ等の撮像素子によって撮像し撮像した映像をディジタル信号にて出力する撮像部１１０と、撮像部１１０が出力するディジタル信号から不可視コードを検出し読み取りを行う不可視コード読み取り部１１１と、不可視コード読み取り部１１１が読み取った不可視コード１０２に記された撮影制限情報が示す撮影制限処理の内容に応じた撮影制限信号を出力する撮影制限信号生成部１１２と、撮影制限信号生成部１１２が生成する撮影制限信号に基づき上記の撮像部１０６、カメラ信号処理部１０７及び記録部１０８に対する動作制限を行って撮影動作の禁止制御を行う撮影制御部１１３と、撮影制限信号生成部１１２が生成する撮影制限信号に基づいて上記のカメラ信号処理部１０７に撮影画質を劣化方向に変化させる制御を行う撮影画質制御部１１４とを備えている。
【００３５】
次に、以上のように構成される実施の形態１に係る撮像装置の動作について説明する。ここでは、イベントコンパニオンに対する盗撮あるいは迷惑撮影を防止するケースについて説明する。イベントコンパニオンは、イベント会場・ブースを彩るものであり、イベントコンパニオンを含む会場の撮影や全身あるいは上半身等の通常の撮影を禁止する必要はない。このケースで防止すべきは、股間や胸元をアップで狙った拡大写真の撮影である。撮像装置１００では、禁止する必要のない撮影は支障なく行える一方、股間や胸元をアップで狙った拡大写真の撮影には、撮影不可ないしは画質を劣化させる等の措置を採るようになっている。
【００３６】
即ち、前準備として、被写体１０１であるイベントコンパニオンには、撮影制限情報を記した不可視コード１０２を股間や胸元など盗撮マニアに狙われやすい個所に印刷等したレオタードや水着を着衣して貰う。図１では、不可視コード１０２はレオタードや水着の股間に印刷等によって付加されている。
【００３７】
まず、防止すべき股間をアップで狙った撮影をしようとしたときの撮影動作は次のようになる。不可視コード１０２の映像は赤外領域の信号として被写体１０１の映像と共に光学系１０４によりズームアップされ２系統に分岐される。一方は、可視光フィルタ１０５にて可視領域の映像信号のみが抽出され、撮像部１０６に入力される。他方は、赤外光フィルタ１０９にて赤外領域の不可視コードの映像が抽出され、撮像部１１０にて赤外ディジタル映像信号に変換され、不可視コード読み取り部１１１に入力される。
【００３８】
不可視コード読み取り部１１１は、赤外ディジタル映像信号の中から画像信号処理により不可視コードを検出しコードの内容を読み取る。今の例では、不可視コード１０２が印刷された被写体の股間がズームアップされているので、不可視コード１０２の映像は検出限界以上の大きさとなり撮影制限情報が正常に読み取られる。なお、不可視コード読み取り部１１１では、不可視コード１０２の映像が所定の大きさを超えた場合のみ読み取るという処理を加えるようにしても良い。
【００３９】
撮影制限信号生成部１１２では、不可視コード読み取り部１１１にて撮影制限情報が正常に読み取られる、その撮影制限情報の内容に応じて撮像装置１００内の動作を制御するための撮影制限信号を撮影制御部１１３又は撮影画質制御部１１４に出力する。具体的には、撮影制限信号生成部１１２では、不可視コード１０２が撮影禁止を示すものである場合は、撮影禁止を示す撮影制限信号を撮影制御部１１３に出力する。一方、撮影制限信号生成部１１２では、不可視コード１０２がモザイク処理を示すものである場合は、モザイク処理を指示する撮影制限信号を撮影画質制御部１１４に出力する。
【００４０】
即ち、不可視コード１０２が撮影禁止を示すものである場合は、撮影禁止を示す撮影制限信号を受けた撮影制御部１１３は、可視映像を取り込む撮像部１０６への電源供給を停止して撮影動作ができないようにすること、或いは、撮像部１０６が可視映像を可視ディジタル映像信号に変換してもそれを受けるカメラ信号処理部１０７には例えば黒画面を出力させ正常な撮影画像が得られないようにすること、或いは、記録部１０８に対してカメラ信号処理部１０７が処理した画像データを保存しないようにし盗撮画像のプリントアウト等ができないようすることの何れか一つを行う。
【００４１】
また、不可視コード１０２がモザイク処理を示すものである場合は、モザイク処理を指示する撮影制限信号を受けた撮影画質制御部１１４は、撮影した画像に対してモザイク処理を行うようにカメラ信号処理部１０７を制御する。以上により、盗撮マニアが股間をアップで狙った撮影をしようとしても、撮影できないかまたは画質の低下した画像しか得られなくなる。
【００４２】
次に、禁止する必要のない撮影の場合、例えば、イベントコンパニオンを含む会場風景を撮影した場合の動作は次のようになる。不可視コード１０２はイベントコンパニオンの胸元や股間に部分的に印刷されている。防止すべき撮影と同様に、不可視コード１０２の画像は赤外ディジタル画像信号となって不可視コード読み取り部１１１に入力される。しかし、会場風景を撮影では、不可視コード１０２の映像は小さいので、不可視コード１０２の内容は読み取られず、撮影制限信号生成部１１２は撮影制限信号を出力しない。したがって、撮影制限はかからず、会場風景の撮影が通常どおりに可能となる。
【００４３】
なお、上記動作説明では、光学系１０４のみがズーム機能を有するように単純化して説明したが、ディジタルズーム機能を有していてもよい。その場合は、カメラ信号処理部１０７と不可視コード読み取り部１１１が同じ倍率でズーム処理、即ち、取り込まれた画像データの部分拡大処理を行うことになる。
【００４４】
また、図１では、可視領域の撮像と赤外領域の撮像に別々の撮像手段を用いる構成を取っているが、本発明はこの構成に限定されるものではない。例えば、Ｒ・Ｇ・Ｂと赤外の４種の波長フィルタを内蔵したＣＣＤ撮像素子を用いれば１つの撮像素子で実現することも可能である。
【００４５】
さらに、イベントコンパニオンに対する盗撮あるいは迷惑撮影を防止するケースについて説明したが、書籍に対するいわゆるディジタル万引きに対しても、書籍の全頁、あるいは撮影を制限したい頁や部分に不可視コードを印刷することにより、同様の効果が得られることは明らかである。
【００４６】
このように、実施の形態１によれば、撮影制限をすべき被写体に撮影制限情報が記された不可視コードを印刷し、その不可視コードに記された撮影制限情報が読み取られた場合に、その撮影制限情報に応じて撮影を制限することが可能となるので、禁止すべき盗撮等の迷惑行為と禁止すべきでない通常の撮影行為との双方を支障なく制御することのできる撮像装置が得られる。
【００４７】
また、不可視コードを用いているため被写体の外観を損なうことがない。さらに、不可視コードの大きさと位置を適切に選べば、被写体の特定の一部の拡大撮影だけを制限することも可能となる。
【００４８】
（実施の形態２）
図２は本発明の実施の形態２に係る撮像装置の要部構成を示すブロック図である。この実施の形態２では、撮像装置がカメラ付き携帯電話機のように外部（ネットワーク）との通信機能を備える場合に、撮影を制限したい被写体に印刷する不可視コードには当該被写体の識別が可能なＩＤを記し、そのＩＤに対応する撮影制限情報を外部（ネットワーク）から取得する場合の構成例が示されている。
【００４９】
即ち、図２に示すように、実施の形態２に係る撮像装置２００が通信するネットワーク２０１は、無線ネットワークまたは有線ネットワークの何れかであるが、このネットワーク２０１には、撮影制限情報がＩＤ毎に登録されたサーバー２０２が配置されている。
【００５０】
そして、実施の形態２に係る撮像装置２００では、図１に示した撮像装置１００において、撮影制限信号生成部１１２に代えて撮影制御信号生成部２０３が設けられている。その他は、図１に示した構成と同様である。
【００５１】
撮影制御信号生成部２０３は、通信部２０４と撮影制限情報取得部２０５と撮影制限信号生成回路２０６とを備えている。
【００５２】
通信部２０４は、ネットワーク２０１の通信形態に適合した無線または有線の通信手段を備え、撮影制限情報取得部２０５の指示を受けてネットワーク２０１を介してサーバー２０２と通信を行い、サーバー２０２から登録されている撮影制限情報を取り出し撮影制限情報取得部２０５に引き渡す機能をを備えている。
【００５３】
撮影制限情報取得部２０５は、不可視コード読み取り部１１１が読み取った不可視コード１０２に記されたＩＤに基づき通信部２０４に指示を出し、サーバー２０２から対応する撮影制限情報を取得し、撮影制限信号生成回路２０６に与える。
【００５４】
撮影制限信号生成回路２０６は、撮影制限情報取得部２０５から入力された撮影制限情報に基づき実施の形態１にて説明した内容の撮影制限信号を生成し、撮影制御部１１３と撮影画質制御部１１４とに出力する。
【００５５】
次に、以上のように構成される実施の形態２に係る撮像装置の動作について説明する。まず、撮影を制限したい被写体に印刷する不可視コードには、その被写体の識別が可能なＩＤを記しておく。不可視コードは、実施の形態１にて説明したように、不可視コード読み取り部１１１にて読み取られ、撮影制御信号生成部２０３に入力される。
【００５６】
撮影制御信号生成部２０３では、撮影制限情報取得手段２０５は、不可視コードに記されたＩＤを通信部２０４を介して予め決められたサーバー２０２に照会し、サーバー２０２にＩＤ毎に登録されている撮影制限処理の内容を示す撮影制限情報を取得し、撮影制限信号生成回路２０６に与える。撮影制限信号生成回路２０６は、撮影制限情報に応じて撮像装置内の動作を制御するための撮影制限信号を出力する。以下、具体例を挙げて説明する。
【００５７】
例えば、被写体にＩＤ＝２０１３という情報が不可視コードに記されており、サーバー２０２には、ＩＤ＝２０１３に対して撮影映像のモザイク処理を示す撮影制限情報が登録されているとする。
【００５８】
このような場合、不可視コード読み取り部１１１は被写体からＩＤ＝２０１３を検出したという情報を撮影制限情報取得部２０５に伝達する。そうすると、撮影制限情報取得部２０５は通信部２０４を介してネットワーク２０１上の予め決められたサーバー２０２に対してＩＤ＝２０１３に対応する撮影制限情報の送信を要求する。
【００５９】
サーバー２０２はＩＤ＝２０１３に対して登録されている撮影制限情報を検索し、登録内容（ここでは撮影映像のモザイク処理を示す撮影制限情報）を撮像装置２００に宛てて送信する。撮影制限情報はネットワーク２０１及び通信部２０４を介して撮影制限情報取得部２０５に届く。撮影制限信号生成回路２０６は、撮影制限情報に応じて撮影映像のモザイク処理を要求する撮影制限信号を出力する。その結果、図１に示す撮影画質制御部１１４は、撮影した画像に強制的にモザイク処理を行うようにカメラ信号処理部１０７を制御する。
【００６０】
このように、実施の形態２によれば、撮影制限がかかっている被写体を撮影しようとすると、不可視コードに記された被写体のＩＤが読み取られ、サーバー上に登録されているそのＩＤに対する撮影制限処理内容に応じて撮影制限することが可能となる。また、不可視コードを用いているため被写体の外観に影響を与えない。さらに、サーバー上の登録情報の変更により撮影制限内容を随時変えることが可能になる。
【産業上の利用可能性】
【００６１】
本発明は、カメラ付き携帯電話機を含めたＣＣＤ等の撮像素子を有する撮像装置に、被写体の外観を損なうことなく、かつ所定の被写体に対する撮影のみ制限が可能な盗撮防止機能を付加するのに好適である。
【図面の簡単な説明】
【００６２】
【図１】本発明の実施の形態１に係る撮像装置の構成を示すブロック図
【図２】本発明の実施の形態２に係る撮像装置の要部構成を示すブロック図
【符号の説明】
【００６３】
１００、２００  撮像装置
１０１  被写体
１０２  不可視コード
１０４  光学系
１０５  可視光フィルタ
１０６  撮像部
１０７  カメラ信号処理部
１０８  記録部
１０９  赤外光フィルタ
１１０  撮像部
１１１  不可視コード読み取り部
１１２  撮影制限信号生成部
１１３  撮影制御部
１１４  撮影画質制御部
２０１  ネットワーク
２０２  サーバー
２０３  撮影制御信号生成部
２０４  通信部
２０５  撮影制限情報取得部
２０６  撮影制限信号生成回路
【図１】
2005328471.tif 000003
【図２】
2005328471.tif 000004